(57)【要約】      （修正有）【課題】海水浴場やプールサイドなどの水辺や温泉・浴室等の濡れやすい環境で読書している場合であっても、本全体を水に濡れることから防ぐことができ、頁数によらず装着することができるブックカバーを提供する。【解決手段】本９０の背表紙９３を覆う背カバー部２１と、背カバー部２１から本の表紙９１側に延ばされ本９０の表紙９１を覆う表紙カバー部２１と、前記背カバー部２１から本９０の裏表紙９２側に延ばされ本９０の裏表紙９２を覆う裏表紙カバー部２３とを備える。背カバー部２１と表紙カバー部２２と裏表紙カバー部２３とが防水性シートから形成され、表紙カバー部２２と裏表紙カバー部２３の一方又は双方から見開き頁を覆う透視シート５０が延ばされ、透視シート５０が見開き頁に対して透視可能に構成されている。【選択図】図２
0003154414.tif 000002
【実用新案登録請求の範囲】
【請求項１】
本の背表紙を覆う背カバー部と、背カバー部から本の表紙側に延ばされ本の表紙を覆う表紙カバー部と、前記背カバー部から本の裏表紙側に延ばされ本の裏表紙を覆う裏表紙カバー部とを備えたブックカバーにおいて、
前記背カバー部と表紙カバー部と裏表紙カバー部とが防水性シートから形成され、前記表紙カバー部と前記裏表紙カバー部の一方又は双方から見開き頁を覆う防水性の透視シートが延ばされていることを特徴とするブックカバー。
【請求項２】
前記透視シートの自由端に、表紙カバー部または裏表紙カバー部との密着代が設けられていることを特徴とする請求項１に記載のブックカバー。
【請求項３】
前記透視シートは前記表紙カバー部又は裏表紙カバー部の一方の小口側から延ばされ、見開き頁を覆って他方の小口側を越えて設けられていることを特徴とする請求項１または２に記載のブックカバー。
【請求項４】
前記透視シートは前記表紙カバー部及び前記裏表紙カバー部の双方から伸ばされ、前記透視シートのそれぞれが見開き頁を覆って自由端が重なる密着代が設けられていることを特徴とする請求項１または２に記載のブックカバー。
【請求項５】
前記表紙カバー部と前記裏表紙カバー部の一方または双方の天側からは本の天側を覆う天側カバー部が延ばされるとともに、地側からは本の地側を覆う地側カバー部が延ばされていることを特徴とする請求項１から４までのいずれかに記載のブックカバー。
【考案の詳細な説明】
【技術分野】
【０００１】
本考案は、本に装着するためのブックカバーに関する。
【背景技術】
【０００２】
ブックカバーは、本に装着することで表紙部分の破損や汚れを防止するものである。この種のブックカバーは、表紙部分に飲食物や飲料水等が付着してしまう等を防止することができる。
【０００３】
この種のブックカバーには、本の背表紙を覆う背カバー部と、背カバー部から本の表紙側に延ばされ本の表紙を覆う表紙カバー部と、前記背カバー部から本の裏表紙側に延ばされ本の裏表紙を覆う裏表紙カバー部とを備えたものが一般的である。例えば特許文献１記載のブックカバーは、裏表紙に装着容易とする嵌合構造の帯状部を設けたものとして開示されている。
【０００４】
ところで、従来、海水浴場やプールサイドなどや温泉・浴室等の濡れやすい場所で読書を愉しむことがあるが、どうしても水が本にかかってしまう。そのため、濡れやすい場所で水がかかることによる汚れや破損をも防止できる手段が望まれ、プラスチックやビニルのような防水性の素材によるブックカバーにその機能が求められている。
【０００５】
特許文献２には、浴室内で本を読むことができる防水機能をもったブックカバーが示されている。このブックカバーは、プラスチックフィルム製の複数個の開口袋状のページカバーを隣接して複数を連続させ、のど側の開口から各頁を挿入し、併せて表紙および裏表紙を挿入して覆い、該フィルムで背表紙も覆うよう構成しているものである。
【先行技術文献】
【特許文献】
【０００６】
【特許文献１】登録実用新案第３０２２４５０号公報
【特許文献２】実開平７−７４８号公報
【考案の概要】
【考案が解決しようとする課題】
【０００７】
特許文献１記載のブックカバーは、防水に関する工夫は設けられていない。特許文献２記載のブックカバーは、すべての頁を水から保護するページカバーを設けなければならず、一頁ずつを挿入する手間をかけることは例えば百頁以上であることが多い文庫や並製本の本において実際上は不可能である。そのため、頁数の比較的少ない絵本など以外には利用できないものである。
【０００８】
本考案は、このような状況に鑑みてなされたものであって、その目的とするところは、海水浴場やプールサイドなどの水辺や温泉・浴室等の濡れやすい環境で読書している場合であっても、本全体を水に濡れることから防ぐことができ、準備の際に頁数によらず簡便な作業のみで、さらに読書の際に簡便な作業のみで防水を得られるブックカバーを得ることにある。
【課題を解決するための手段】
【０００９】
上記課題を解決するため、本考案のブックカバーは、本の背表紙を覆う背カバー部と、背カバー部から本の表紙側に延ばされ本の表紙を覆う表紙カバー部と、前記背カバー部から本の裏表紙側に延ばされ本の裏表紙を覆う裏表紙カバー部とを備えたブックカバーにおいて、前記背カバー部と表紙カバー部と裏表紙カバー部とが防水性シートから形成され、前記表紙カバー部と前記裏表紙カバー部の一方又は双方から見開き頁を覆う透視シートが延ばされ、透視シートが見開き頁に対して透視可能に構成されていることを特徴とする。
【００１０】
上記構成によれば、背表紙、表紙、裏表紙が防水性シートから形成された背カバー部と表紙カバー部と裏表紙カバー部とで防水され、露出している見開き頁が透視シートで覆うことで防水される。透視シートは透明に構成されているので可視状態となる。そのため、本全体が防水されつつ見開き頁が判読可能な状態となる。透視シートによって閉じた状態の本を包み、本を収納する際に防水状態で収納される。
【００１１】
また、本考案のブックカバーは、前記透視シートの自由端に、表紙カバー部または裏表紙カバー部との密着代が設けられていることを特徴とする。
【００１２】
上記構成によれば、余る自由端の密着代が表紙カバー部または裏表紙カバー部に密着し、近傍をシールする形となり、覆った状態から自然に剥がれることがなく、また表紙カバー部または裏表紙カバー部の密着した部分から水が浸入することがなくなる。
【００１３】
また、本考案のブックカバーは、前記透視シートが前記表紙カバー部又は裏表紙カバー部の一方の小口側から延ばされ、見開き頁を覆って他方の小口側を越えて設けられていることを特徴とする。
【００１４】
上記構成によれば、一枚の透視シートが一方の小口側から他方の小口側を越えて延び見開き頁を覆うことで、見開き頁が隙間なく透視シートに覆われて防水される。
【００１５】
また、本考案のブックカバーは、前記透視シートが前記表紙カバー部及び前記裏表紙カバー部の双方から伸ばされ、前記透視シートのそれぞれが見開き頁を覆って自由端が重なる密着代が設けられていることを特徴とする。
【００１６】
上記構成によれば、厚みが異なる本の場合に対しても自由端の重なりの大きさが調節されて透視シートが見開き頁を覆い、密着代によって透視シートが相互にシールされる。
【００１７】
また、本考案のブックカバーは、前記表紙カバー部と前記裏表紙カバー部の一方または双方の天側からは本の天側を覆う天側カバー部が延ばされるとともに、地側からは本の地側を覆う地側カバー部が延ばされていることを特徴とする。
【００１８】
上記構成によれば、本を閉じて収納する際に本の天側小口や地側小口が各カバー部で覆われる。
【考案の効果】
【００１９】
本考案のブックカバーによれば、本の表紙側は背カバー部と表紙カバー部と裏表紙カバー部とで防水され、本の見開き頁が透視シートで防水されることで、本全体を防水しつつ読書することができ、海水浴場やプールサイドなどの水辺や温泉・浴室等の濡れやすい環境で本を濡らさずに読書することができる。本考案のブックカバーを本に装着すれば、濡れやすい環境で本を読む際は見開き頁に透視シートを被せる作業のみで足り、各頁に対して覆っておくなどの準備は必要としない。
【００２０】
頁をめくる際は、透視シートを外して頁をめくって再度透視シートを被せる作業のみで足り、容易に行える。したがって、準備の際に頁数によらず簡便な作業のみで、さらに読書の際に簡便な作業のみで防水を得られるブックカバーを得ることができる。
【００２１】
本を閉じ収納する際は、透視シートで本を包み込むことができ、本の頁が開く事故を防ぎつつ、防水することができる。
【図面の簡単な説明】
【００２２】
【図１】第１の実施形態に係るブックカバーの斜視図である。
【図２】図１のブックカバーに本を装着した状態の斜視図である。
【図３】図１のブックカバーに見開き状態の本を配置した状態を説明する斜視図である。
【図４】図１のブックカバーを用いて見開き頁に透視シートをかぶせる状態を説明する斜視図である。
【図５】図１のブックカバーを用いて見開き頁にカバー密着代をかぶせている状態を説明する斜視図である。
【図６】図１のブックカバーに閉じた本を配置した状態を説明する斜視図である。
【図７】図１のブックカバーを用いて閉じた本に透視シートをかぶせている状態を説明する斜視図である。
【図８】図１のブックカバーを用いて収容時の本を包む状態を説明する斜視図である。
【図９】第２の実施形態に係るブックカバーの斜視図である。
【図１０】図９のブックカバーを用いて見開き状態の本に透視シートをかぶせる途中の状態を説明する斜視図である。
【図１１】図９のブックカバーを用いて見開き状態の本に透視シートをかぶせた後の状態を説明する斜視図である。
【図１２】図９のブックカバーで収容時の本を包む状態を説明する図である。
【図１３】第３の実施形態に係るブックカバーでブックカバーを用いて見開き状態の本に透視シートをかぶせる状態を説明する斜視図である。
【図１４】図１３のブックカバーでブックカバーを用いて見開き状態の本に天側シート部と地側シート部をかぶせる状態を説明する斜視図である。
【考案を実施するための形態】
【００２３】
以下、考案を実施するための形態（以下、「実施形態」という）を、図面を参照しつつ説明する。
【００２４】
＜第１の実施形態＞
図１〜８は、第１の実施形態に係るブックカバー１０を示した図である。図１は第１の実施形態に係るブックカバーの斜視図、図２は図１のブックカバーに本を装着した状態の斜視図、図３〜図５は図１のブックカバーに見開き状態の本を配置し透視シートで覆う状態を説明する斜視図、図６〜図８は図１のブックカバーに閉じた本を配置し透視シートで包む状態を説明する斜視図である。
【００２５】
この実施形態のブックカバー１０は、背カバー部２１と、表紙カバー部２２と、裏表紙カバー部２３とを備え、裏表紙カバー部２３から延ばされた透視シート５０とを備えて概略構成される。
【００２６】
背カバー部２１は、ブックカバー１０を本９０に装着した際に本９０の背表紙９３を覆う部分である。表紙カバー部２２は、背カバー部２１の表紙９１側に伸ばされ、裏表紙カバー部２３は裏表紙９２側にそれぞれ延ばされ、本９０の表紙９１、裏表紙９２を覆うようになっている。背カバー部２１と表紙カバー部２２と裏表紙カバー部２３とは、一体に形成されて、表紙カバーシート２０となっている。
【００２７】
表紙カバーシート２０は防水性シートから形成されている。防水性とは、水によって破れたり膨潤などはしない性質をいう。防水性シートは防水性を持つ、望ましくは水を積極的にはじく素材からなる薄く軟質のシートである。こうしたシートの素材はビニルや軟質プラスチックなどの水をはじく素材や、紙などにラミネート等でコーティングされたもの、表面に撥水処理が施されたものを選択できる。図１に示した例では、表紙カバーシート２０は略長方形のビニルシートとなっている。
【００２８】
透視シート５０は、裏表紙カバー部２３から延ばされている。透視とは、シートを通して目視可能であることをいい、透光性すなわち透明または半透明などの素材等で構成されていることによる。透視シートは、前記表紙カバーシート２０と同様に防水性を持ち、透視可能なためには薄い方が望ましいため、薄く軟質のシートが選択される。図に示した例では透視シート５０は透明のビニルシートからなっている。
【００２９】
透視シート５０は、裏表紙カバー部２３の小口側から延ばされ、見開き頁を覆って、他方の小口側を越えることができるような長さ寸法に設けられ、自由端は密着代５１となっている。密着代５１の大きさは、表紙カバー部２２の天側の辺の長さの８分の１〜４分の１程度である。
【００３０】
また、第１の実施形態では、表紙カバー部２２の小口からはカバー密着代２４が延出して形成されている。表紙カバー部２２の小口近傍には帯状部３２が設けられ、両端部それぞれが表紙カバー部２２の天地側の端に取り付けられている。裏表紙カバー部２３の小口近傍にはポケット３１が形成され、背カバー部２１側が開口している。
カバー密着代２４は、カバー内側に粘着材料を持つ粘着部３３が設けられることで、透視シート５０と密着が可能となっている。粘着部３３の上面には、粘着部３３を覆う剥離紙３４が取り付けられ、使用するときに剥がすようになっている。
【００３１】
次に、第１の実施形態のブックカバー１０の作用について説明する。まず、図２に示すように、ポケット３１に本９０の裏表紙９２を挿入し、帯状部３２に本９０の表紙９１を挿入する。この状態では図３に示すように開いた本の裏表紙側に透視シート５０が延びた状態になっている。
【００３２】
図４のように透視シート５０を裏表紙カバー２３の小口の部分で折り曲げて、見開き頁にかぶせる。図５に示すように、透視シート５０は見開き頁９６の全面を覆い、防水性（撥水性）を有する材料で構成されているため、見開き頁９６が濡れることを防止できる。
透視シート５０の密着代５１は、帯状部３２に密着させる。密着代５１は帯状部３２とビニル同士の摩擦力によって密着し、手で剥がす程度の力を加えなければ自然に剥がれることはなく、透視シート５０がめくれて防水が損なわれるといったことが起きにくい。
【００３３】
ついで、図５に示すように、カバー密着代２４を、見開き頁９６にかぶせた透視シート５０の上にかぶせ、粘着部３３の粘着力によって表紙カバーシート２０と透視シート５０を密着させ、防水を確保することもできる。
【００３４】
本９０をめくるときは、図５の粘着部３３を開放し、透視シート５０を開いた図４の状態に戻してから、見開き頁９６をめくる。ついで、再び透視シート５０をかぶせて密着代５１で密着させ、図５の状態に戻す。
【００３５】
本９０を収納する際には、図６のように本９０を閉じ、裏表紙カバー２３側に設けられた透視シート５０を、図７のように表紙カバー部２２、ついで図８のように背カバー部２１にかぶせ、本９０に巻きつけることで、本９０が透視シート５０で保護され、防水される。図示しないが、表紙側カバー２２側に透視シート５０が設けられている場合は、同様に裏表紙カバー２３側にかぶせ、巻きつける。
【００３６】
＜第２の実施形態＞
図９〜１２は、第２の実施形態に係るブックカバーを示した図である。このブックカバー１１０は、第１の実施形態のブックカバー１０の変形例であり、以下では異なる構成について説明し、同一の構成については同一符号を付し説明を適宜省略する。
【００３７】
第２の実施形態のブックカバー１１０は、透視シート５２、５３は表紙カバー部２２及び裏表紙カバー部２３の双方から伸ばされ、透視シート５２、５３のそれぞれが見開き頁を覆って互いに自由端が重なる密着代５４、５５ができるよう設けられている。図９に示した例では、透視シート５２、５３の双方が表紙カバーシート１２０の長辺方向の半分よりも長く伸ばされ、延びた分が密着代５４、５５となっている。
【００３８】
裏表紙カバー部２３の天側からは、本の天側９４を覆う天側カバー部３５が延ばされるとともに、地側からは本の地側９５を覆う地側カバー部３６が延ばされている。
表紙カバー部２２又は裏表紙カバー部２３の天地側と接する長辺の長さは表紙カバー部２２裏表紙カバー部２３の天地の辺の長さと略同じに設けられ、短辺の長さは表紙カバーシート２０の天地側の長さの８分の１〜４分の１程度となっている。
天側カバー部３５、地側カバー部３６の素材は、表紙カバーシート２０と同様のものから選択でき、図９に示した例では表紙カバーシート２０と一体成形されている。
【００３９】
また、第２の実施形態のブックカバー１１０では、しおり用片３７が、表紙カバー部２２の天側の端から地側に向かって延ばされて設けられている。図に示した例では、しおり用片３７は表紙カバーシート２０と同じ防水性シートからなり、長さは、表紙カバーシート２０の天地方向の長さの半分程度である。
【００４０】
次に、第２の実施形態のブックカバー１１０の作用について説明する。本９０にブックカバー１１０を装着し、図１０に示すように、透視シート５２を裏表紙カバー２３の小口の部分で折り曲げ、更に透視シート５３を表紙カバー２２の小口の部分で折り曲げ、それぞれを見開き頁９６にかぶせる。図１１に示すように、本ののど部近傍で透視シート５２、５３が重なる密着代５４を有していることで、見開き頁９６、特に本ののど部が保護される。
【００４１】
本９０を収納する際には、ブックカバー１１０の透視シート５２、５３で本９０を包み、図１２に示すように、天側カバー部３５、地側カバー部３６を折り畳み、表紙カバー部２２の外面に重ねると、天側９４及び地側９５の部分が覆われ防水される。
【００４２】
なお、図示しないが、選択的な構成として、天側カバー部３５、地側カバー部３６は、表紙カバー部２２と裏表紙カバー部２３のいずれか片方の天地に設けられていてもよい。この場合、天側と地側に少なくとも一つのカバー部があれば、収納の際にあっては本９０の天側９４と地側９５を防水することができる。
【００４３】
＜第３の実施形態＞
図１３、図１４は、第３の実施形態に係るブックカバーを示した図である。このブックカバー２１０は、第２の実施形態のブックカバー１１０の変形例であり、以下では異なる構成について説明し、同一の構成については同一符号を付し説明を適宜省略する。
【００４４】
このブックカバー２１０は、表紙カバー部２２にも天側カバー部３５、地側カバー部３６が設けられていることを除けば、第２の実施形態と同様である。
この実施形態では、天側カバー部３５、地側カバー部３６が表紙カバー部２２、裏表紙カバー部２３に設けられている。本９０を開いて読む際に、図１３に示すように透視シート５２、５３を本の見開き頁にかぶせた後、図１４に示すように天側カバー部３５、地側カバー部３６のそれぞれを折り曲げて透視シート５２、５３にかぶせることで、本９０の天側９４、地側９５のすべてを防水することができる。天側カバー部３５、地側カバー部３６と透視シート５２、５３とは、密着代３８、３９で密着する。
【００４５】
＜その他の実施形態＞
その他の実施形態として、表紙カバーシート２０も透視シート５０と同じ透視可能な素材で形成され、透視シート５０と表紙カバーシート２０が同じ素材で一体成形されている形態を選択してもよい。
密着代５１と、密着代５１と密着が想定される部位には粘着テープやマジックテープ（登録商標）などの粘着、密着可能な部位が設けられていてもよい。カバー密着代２４の粘着部３３は、特に粘着材料を設けずに、透視シート５０とカバー密着代２４のビニル同士の摩擦力で密着するようになっていてもよい。粘着材料を設けない場合、上記とは逆の順番、すなわちカバー密着代２４を折り曲げて本９０にかぶせてから、その上に透視シート５０をかぶせてカバー密着代２４と密着させるという使用法も可能となる。
表紙カバーシート２０には、着色や模様、文字などを配置することも、これらの各カバー部の外側あるいは内側に、図書情報や所有者の情報のカードを挿入するためのカードホルダなどが設けられていてもよい。
【００４６】
以上、本考案を実施形態を基に説明した。この実施形態は例示であり、それらの各構成要素及びその組合せにいろいろな変形例が可能なこと、またそうした変形例も本考案の範囲にあることは当業者に理解されるところである。
【符号の説明】
【００４７】
１０，１１０，２１０  ブックカバー
２０，１２０，２２０  表紙カバーシート
２１  背カバー部
２２  表紙カバー部
２３  裏表紙カバー部
２４  カバー密着代
３１  ポケット
３２  帯状部
３３  粘着部
３４  剥離紙
３５  天側カバー部
３６  地側カバー部
３７  しおり用片
３８，３９，５１，５４，５５  密着代
５０，５２，５３  透視シート
９０  本
９１  表紙
９２  裏表紙
９３  背表紙
９４  天側
９５  地側
９６  見開き頁
【図１】
0003154414.tif 000003
【図２】
0003154414.tif 000004
【図３】
0003154414.tif 000005
【図４】
0003154414.tif 000006
【図５】
0003154414.tif 000007
【図６】
0003154414.tif 000008
【図７】
0003154414.tif 000009
【図８】
0003154414.tif 000010
【図９】
0003154414.tif 000011
【図１０】
0003154414.tif 000012
【図１１】
0003154414.tif 000013
【図１２】
0003154414.tif 000014
【図１３】
0003154414.tif 000015
【図１４】
0003154414.tif 000016